(57)【要約】【課題】有効レンズ径が拡大した液晶レンズを開示する。【解決手段】第１の透明電極層と、第２の透明電極層と、前記第１の透明電極層及び前記第２の透明電極層の間に設けられた液晶層と、前記第２の透明電極層及び前記液晶層の間に設けられた絶縁層と、前記絶縁層及び前記液晶層の間に設けられた高抵抗層とを有し、平面視において、前記第２の透明電極層が、円形状の中心電極層と、前記中心電極層の周囲に前記中心電極層とは離隔して設けられた複数の輪帯電極層とを備えており、平面視において、前記高抵抗層が、円形状の第１の抵抗層を備えており、平面視において、前記高抵抗層の外縁が、前記複数の輪帯電極層のうちの最外側輪帯電極層の外縁よりも内側に存在している、液晶レンズとする。【選択図】図１
2018036483.tif 000002
【特許請求の範囲】
【請求項１】
第１の透明電極層と、第２の透明電極層と、前記第１の透明電極層及び前記第２の透明電極層の間に設けられた液晶層と、前記第２の透明電極層及び前記液晶層の間に設けられた絶縁層と、前記絶縁層及び前記液晶層の間に設けられた高抵抗層とを有し、
平面視において、前記第２の透明電極層が、円形状の中心電極層と、前記中心電極層の周囲に前記中心電極層とは離隔して設けられた複数の輪帯電極層とを備えており、
平面視において、前記高抵抗層が、円形状の第１の抵抗層を備えており、
平面視において、前記高抵抗層の外縁が、前記複数の輪帯電極層のうちの最外側輪帯電極層の外縁よりも内側に存在している、
液晶レンズ。
【請求項２】
前記平面視において、前記第１の抵抗層の外縁が、前記複数の輪帯電極層のうちのいずれか一つの帯幅内に存在する、
請求項１に記載の液晶レンズ。
【請求項３】
前記平面視において、前記高抵抗層が、前記第１の抵抗層と、前記第１の抵抗層の周囲に前記第１の抵抗層とは離隔して設けられた輪帯状の第２の抵抗層とを備え、前記平面視において、前記第２の抵抗層の外縁が、前記複数の輪帯電極層のうちの最外側輪帯電極層の外縁よりも内側に存在している、
請求項１又は２に記載の液晶レンズ。
【請求項４】
前記平面視において、前記第２の抵抗層の外縁が、前記複数の輪帯電極層のうちのいずれか一つの帯幅内に存在する、
請求項３に記載の液晶レンズ。
【請求項５】
平面視において、前記高抵抗層が、前記第２の抵抗層の周囲に前記第２の抵抗層とは離隔して設けられた第３の抵抗層を備える、
請求項３又は４に記載の液晶レンズ。
【請求項６】
前記複数の輪帯電極層のうちの一部を開回路とする、
請求項１〜５のいずれか１項に記載の液晶レンズ。
【請求項７】
前記複数の輪帯電極層は、それぞれ、インピーダンスが同程度であるように特徴付けられた帯幅を有する、
請求項１〜６のいずれか１項に記載の液晶レンズ。
【請求項８】
前記第２の透明電極層が、前記中心電極層と、前記複数の輪帯電極層と、前記平面視において前記輪帯電極層の周囲に設けられた最外側透明電極層とを備える、
請求項１〜７のいずれか１項に記載の液晶レンズ。
【請求項９】
請求項１〜８のいずれか１項に記載の液晶レンズを駆動する方法であって、
前記複数の輪帯電極層の一つ又は複数に印加する電圧の周波数を制御することを特徴とする、
液晶レンズの駆動方法。
【請求項１０】
請求項１〜８のいずれか１項に記載の液晶レンズを駆動する方法であって、
前記複数の輪帯電極層の一つ又は複数に印加する交流電圧の位相を制御することを特徴とする、
液晶レンズの駆動方法。
【発明の詳細な説明】
【技術分野】
【０００１】
本願は液晶レンズを開示するものである。
【背景技術】
【０００２】
誘電異方性及び光学異方性を示す液晶分子は、印加電圧を制御することで液晶分子の配向方向を制御することができ、実効的な屈折率を連続的に可変できる。例えば、第１の透明電極及び第２の透明電極の間に媒質として液晶分子を含む層（液晶層）を設け、電極間の電圧を制御することで、液晶層の実効的な屈折率分布を調整することができ、液晶レンズとして機能させることができる。
【０００３】
例えば、円形状の中心電極層と、中心電極層の周囲に設けられた複数の輪帯電極層とによって上記の第２の透明電極（同心円状のパターン電極群）を構成し、中心電極層から半径方向に電圧分布を形成することで、液晶層においても半径方向に屈折率分布を生じさせることができ、液晶レンズを例えば屈折率分布型レンズとして機能させることができる。ただし、このような第２の透明電極を用いた液晶レンズにおいては、液晶層に印加される電圧が階段状となり、連続的で滑らかな電位分布とならない。それゆえ、液晶層における屈折率分布も同様に不連続な階段状となり、理想的なレンズ特性とならない。このような問題を解決すべく、特許文献１に開示された液晶レンズにおいては、第２の透明電極と液晶層との間に絶縁層及び高抵抗層の二重層を配置することで、液晶層の屈折率分布を連続的で滑らかなものとしている。
【先行技術文献】
【特許文献】
【０００４】
【特許文献１】特開２０１２−１３７６８２号公報
【発明の概要】
【発明が解決しようとする課題】
【０００５】
特許文献１に開示された液晶レンズにおいては、絶縁層及び高抵抗層の二重層が液晶層の表面全体を覆うように構成されている。すなわち、平面視において高抵抗層の面積が第２の透明電極（パターン電極群）の面積よりも過大とされている。本発明者らの知見によれば、このような面積の大きな高抵抗層を設けた場合、第１及び第２の透明電極間に電圧を印加すると、平面視において第２の透明電極層よりも外側においても、高抵抗層に誘導されて電界が生じ、結果として液晶層中の液晶分子の傾きが変化してしまう。このような場合、平面視で第２の透明電極層よりも外側の液晶分子の配向に引き摺られて、第２の透明電極層の内側の液晶分子も意図しない方向に配向してしまう。すなわち、第２の透明電極層の外縁近傍において、液晶分子を意図した方向に配向させることができず、光学位相差分布が断面が放物線状とならず、結果として液晶レンズの有効レンズ径が小さくなってしまう。
【０００６】
上記の背景技術に鑑み、本願では、レンズ特性を良好な状態に保ち、有効レンズ径の拡大と実効的なレンズパワーの増大とを実現した液晶レンズを開示する。
【課題を解決するための手段】
【０００７】
本願は、上記課題を解決するための手段の一つとして、
第１の透明電極層と、第２の透明電極層と、前記第１の透明電極層及び前記第２の透明電極層の間に設けられた液晶層と、前記第２の透明電極層及び前記液晶層の間に設けられた絶縁層と、前記絶縁層及び前記液晶層の間に設けられた高抵抗層とを有し、平面視において、前記第２の透明電極層が、円形状の中心電極層と、前記中心電極層の周囲に前記中心電極層とは離隔して設けられた複数の輪帯電極層とを備えており、平面視において、前記高抵抗層が、円形状の第１の抵抗層を備えており、平面視において、前記高抵抗層の外縁が、前記複数の輪帯電極層のうちの最外側輪帯電極層の外縁よりも内側に存在している、液晶レンズ
を開示する。
【０００８】
「透明電極層」とは、光を透過可能であるとともに電極として機能し得る層であって、従来より液晶レンズに用いられてきた透明電極層と同様のものでよい。例えば、ＩＴＯ、酸化チタン、酸化亜鉛又はこれらの混合物を含む透明電極層が挙げられる。
「液晶層」とは、透明電極層の電圧を制御することで液晶の配向を調整可能で、実効的な屈折率の分布を調整可能な層であればよい。通常、配向膜と配向膜との間に液晶が充填されてなる層をいう。
「絶縁層」とは、光を透過可能であるとともに絶縁材料から構成される層をいう。絶縁材料は有機系・無機系を問わない。或いは、光を透過可能であるとともに下記の高抵抗層よりも誘電率の大きな材料から構成される層であってもよい。
「高抵抗層」とは、光を透過可能であるとともにシート抵抗が１ｋΩ以上１０ＧΩ以下の層をいう。
「平面視」とは、第２の透明電極層を上側とし、第１の透明電極層を下側とした場合における「上面視」を意味する。
「中心電極層の周囲に中心電極層とは離隔して設けられた複数の輪帯電極層」とは、中心電極層の周囲に、リング状の隙間を介して、一の輪帯電極層が設けられ、当該一の輪帯電極層の周囲に、リング状の隙間を介して、他の輪帯電極層が設けられていることを意味する。輪帯電極層の数は複数（２つ以上）であればよい。このように、本開示の液晶レンズにおいて、第２の透明電極層は、同心円状のパターン電極群を構成する。
「前記高抵抗層の外縁」とは、高抵抗層が第１の抵抗層のみからなる場合は、当該第１の抵抗層の外縁をいい、高抵抗層が第１の抵抗層とそれ以外の抵抗層（例えば、下記第２の抵抗層）とからなる場合は、これら複数の抵抗層のうち最外側となる抵抗層の外縁をいう。
「前記高抵抗層の外縁が、前記複数の輪帯電極層のうちの最外側輪帯電極層の外縁よりも内側に存在している」とは、言い換えれば、平面視において、最外側輪帯電極層の外縁よりも内側に、高抵抗層の外縁が収まっていることを意味する。
【０００９】
本開示の液晶レンズは、平面視において、前記第１の抵抗層の外縁が、前記複数の輪帯電極層のうちのいずれか一つの帯幅内に存在することが好ましい。
【００１０】
「帯幅内」とは、輪帯電極層の外縁と内縁との間を意味する。すなわち、「平面視において、前記第１の抵抗層の外縁が、前記複数の輪帯電極層のうちのいずれか一つの帯幅内に存在する」とは、平面視において、第１の抵抗層の外縁が、一つの輪帯電極層の外縁と内縁との間に収まっていることを意味する。
【００１１】
本開示の液晶レンズは、平面視において、前記高抵抗層が、前記第１の抵抗層と、前記第１の抵抗層の周囲に前記第１の抵抗層とは離隔して設けられた輪帯状の第２の抵抗層とを備えた形態を含む。このような形態の場合、上述したように、液晶レンズは、平面視において、前記第２の抵抗層の外縁が、前記複数の輪帯電極層のうちの最外側輪帯電極層の外縁よりも内側に存在している。
【００１２】
このような形態の場合、液晶レンズは、平面視において、前記第２の抵抗層の外縁が、前記複数の輪帯電極層のうちのいずれか一つの帯幅内に存在することが好ましい。
【００１３】
さらに、このような形態の場合、液晶レンズは、平面視において、前記高抵抗層が、前記第２の抵抗層の周囲に前記第２の抵抗層とは離隔して設けられた第３の抵抗層を備えていてもよい。言うまでもないが、当該第３の抵抗層の外縁についても、最外側輪帯電極層の外縁よりも内側に存在する。尚、第３の抵抗層は、複数の抵抗層からなるものであってもよい。
【００１４】
本開示の液晶レンズは、前記複数の輪帯電極層のうちの一部を開回路としてもよい。すなわち、一部の輪帯電極層が電気的に接続されずにオープンとされていてもよい。
【００１５】
本開示の液晶レンズは、前記液晶中の一部の液晶分子が、垂直配向膜によって、他の液晶分子とは異なる方向に配向されていてもよい。
【００１６】
本開示の液晶レンズにおいて、前記複数の輪帯電極層は、それぞれ、インピーダンスが同程度であるように特徴付けられた帯幅を有することが好ましい。
【００１７】
「インピーダンスが同程度」とは、一の輪帯電極層のインピーダンス（Ω１）と他の輪帯電極層のインピーダンス（Ω２）との比（Ω１／Ω２）が、０．９９以上１．０１以下の範囲内にあることをいう。
【００１８】
本開示の液晶レンズは、前記第２の透明電極層が、前記中心電極層と、前記複数の輪帯電極層と、前記平面視において前記輪帯電極層の周囲に設けられた最外側透明電極層とを備えていてもよい。
【００１９】
尚、本開示の液晶レンズは、例えば以下のように駆動させることができる。
【００２０】
すなわち、本開示の液晶レンズは、前記複数の輪帯電極層の一つ又は複数に印加する電圧の周波数を制御することを特徴とする、液晶レンズの駆動方法により駆動可能である。
【００２１】
或いは、本開示の液晶レンズは、前記複数の輪帯電極層の一つ又は複数に印加する交流電圧の位相を制御することを特徴とする、液晶レンズの駆動方法によっても駆動可能である。
【発明の効果】
【００２２】
本開示の液晶レンズにおいては、平面視において、高抵抗層の外縁が、複数の輪帯電極層のうちの最外側輪帯電極層の外縁よりも内側に存在している。このような場合、平面視において輪帯電極層の外側に電界が生じることを抑制でき、液晶層中の液晶分子の配向の変化を抑制できる。すなわち、輪帯電極層の外側における液晶分子の配向変化が、輪帯電極層の内側における液晶分子の配向に悪影響を及ぼすことがない。結果として、輪帯電極層の内側において、液晶層中の液晶分子を意図した方向に配向させることができ、液晶レンズの特性を良好な状態に保ち、実効的に液晶レンズの有効レンズ径を拡大すること及び実効的なレンズパワーを増大させることができる。
【図面の簡単な説明】
【００２３】
【図１】液晶レンズ１０の構成を示す断面概略図である。
【図２】第２の透明電極層２の平面形状と高抵抗層５の平面形状とを比較した平面概略図である。
【図３】液晶層の構成を示す断面概略図である。
【図４】液晶レンズの光学位相差分布を説明するための図である。
【図５】液晶レンズ２０の構成を示す断面概略図である。
【図６】第２の透明電極層２の平面形状と高抵抗層１５の平面形状とを比較した平面概略図である。
【図７】液晶レンズ３０の構成を示す断面概略図である。
【図８】第２の透明電極層２２の平面形状と高抵抗層２５の平面形状とを比較した平面概略図である。
【図９】液晶レンズ３０の光学位相差分布を説明するための図である。
【図１０】液晶レンズ４０の構成を示す断面概略図である。
【図１１】透明電極層３２の構成を示す平面概略図である。
【図１２】最外側輪帯電極層付近での液晶層の構成を示す断面概略図である。
【図１３】比較例１に係る液晶レンズの構成を示す断面概略図である。
【図１４】比較例１に係る液晶レンズの光学位相差分布を示す図である。
【図１５】比較例２に係る液晶レンズの構成を示す断面概略図である。
【図１６】比較例２に係る液晶レンズの光学位相差分布を示す図である。
【図１７】実施例１に係る液晶レンズの光学位相差分布を示す図である。
【発明を実施するための形態】
【００２４】
１．液晶レンズ１０
図１に液晶レンズ１０の層構成を概略的に示す。また、図２に液晶レンズ１０に備えられる第２の透明電極層２と高抵抗層５とについて、それぞれの平面形状を概略的に示す。
【００２５】
図１に示すように、液晶レンズ１０は、第１の透明電極層１と、第２の透明電極層２と、第１の透明電極層１及び第２の透明電極層２の間に設けられた液晶層３と、第２の透明電極層２及び液晶層３の間に設けられた絶縁層４と、絶縁層４及び液晶層３の間に設けられた高抵抗層５とを有している。また、図２に示すように、液晶レンズ１０は、平面視において、第２の透明電極層２が、円形状の中心電極層２ａと、中心電極層２ａの周囲に中心電極層２ａとは離隔して設けられた複数の輪帯電極層２ｂ１、２ｂ２、…とを備えており、平面視において、高抵抗層５が、円形状の第１の抵抗層５ａを備えている。さらに、図２に示すように、液晶レンズ１０は、平面視において、高抵抗層５の外縁（すなわち、第１の抵抗層５ａの外縁）が、複数の輪帯電極層２ｂ１、２ｂ２、…のうちの最外側輪帯電極層２ｂ５の外縁よりも内側に存在している。
【００２６】
１．１．第１の透明電極層１
第１の透明電極層１は、光を透過可能であるとともに電極として機能し得る層であって、従来より液晶レンズに用いられてきた透明電極層と同様のものでよい。例えば、ＩＴＯ、酸化チタン、酸化亜鉛又はこれらの混合物を含む透明電極層が挙げられる。第１の透明電極層１の形状は特に限定されず、後述の第２の透明電極層２に対し、液晶層３を介して対向するような形状であればよい。特に、液晶層３の表面全体を覆うような平面形状を有することが好ましい。
【００２７】
１．２．第２の透明電極層２
第２の透明電極層２は、平面視において、円形状の中心電極層２ａと、中心電極層２ａの周囲に中心電極層２ａとは離隔して設けられた複数の輪帯電極層２ｂ１、２ｂ２、…とを備えている。すなわち、第２の透明電極層２においては、中心電極層２ａの周囲に、リング状の隙間を介して、一の輪帯電極層２ｂ１が設けられ、当該一の輪帯電極層２ｂ１の周囲に、リング状の隙間を介して、他の輪帯電極層２ｂ２が設けられている。輪帯電極層２ｂの数は複数（２つ以上）であればよい。輪帯電極層２ｂの数が多いほど、液晶レンズのレンズ特性が向上する。このように、液晶レンズ１０において、第２の透明電極層２は、同心円状のパターン電極群を構成する。このような透明電極層自体は公知であり、従来より液晶レンズに用いられてきたパターン電極群と同様のものでよい。
【００２８】
１．３．液晶層３
液晶層３は、透明電極層１、２の電圧を制御することで液晶の配向を調整可能で、実効的な屈折率の分布を調整可能な層であればよく、従来より液晶レンズに用いられてきた液晶層と同様のものでよい。例えば、図３に示すように、液晶層３は、配向膜３ｂ、３ｂの間に液晶分子３ａが充填されてなる。
【００２９】
液晶分子３ａの種類は特に限定されるものではない。液晶レンズにおいて従来より用いられてきた液晶分子と同様のものとすればよい。ここでは説明を省略する。
【００３０】
配向膜３ｂは、通常、一方向にラビング処理が施されたものであり、液晶分子３ａの長軸方向に対応するダイレクタが所定のプレティルト角をなして配向するような状態となっている。このような配向膜３ｂは従来と同様の配向膜を用いればよい。例えば、ポリイミドからなる配向膜が挙げられる。
【００３１】
１．４．絶縁層４
絶縁層４は、光を透過可能であるとともに絶縁材料から構成される層であればよい。絶縁材料は有機系・無機系を問わない。有機系絶縁材料としては、例えば、ポリマー樹脂が挙げられる。無機系絶縁材料としては、例えば、二酸化ケイ素（ＳｉＯ２）が挙げられる。或いは、絶縁層４は、光を透過可能であるとともに下記の高抵抗層５よりも誘電率の大きな材料から構成される層であってもよい。絶縁層４の面形状は特に限定されるものではない。例えば、液晶レンズ１０を眼鏡レンズに適用する場合、第２の透明電極層２の全体を覆うような面形状とすることができる。絶縁層４の厚みの条件としては、電極層と高抵抗層との間で電気的な絶縁が保たれる限り特に限定されるものではないが、例えば、液晶レンズ１０を眼鏡のレンズに適用する場合、０．１μｍ以上５μｍ以下の厚みとすることができる。第２の透明電極層２と液晶層３との間に絶縁層４を介在させることで、透明電極層と高抵抗層とを適切に電気的に絶縁することができる。
【００３２】
１．５．高抵抗層５
高抵抗層５は、光を透過可能であるとともにシート抵抗が１ｋΩ以上１０ＧΩ以下の層であればよい。第２の透明電極層２と液晶層３との間に高抵抗層５を介在させることで、電圧印加時、平面視において高抵抗層５よりも内側に存在する液晶分子３ａを、滑らかに配向させることができる。高抵抗層５を構成する材料は上記のシート抵抗を確保できる限り特に限定されるものではなく、例えば、酸化亜鉛、ＰＥＤＯＴ／ＰＳＳ又はこれらの組み合わせを用いることができる。高抵抗層５の厚みの条件としては、上記のシート抵抗を確保できる限り特に限定されるものではないが、例えば、液晶レンズ１０を眼鏡のレンズに適用する場合、０．０１μｍ以上１μｍ以下の厚みとすることができる。高抵抗層５の平面形状は以下の通りである。すなわち、図２に示すように、高抵抗層５は、平面視において、円形状の第１の抵抗層５ａを備えている。また、図２において点線で示すように、平面視において、高抵抗層５の外縁（第１の抵抗層５ａの外縁）が、複数の輪帯電極層２ｂ１、２ｂ２、…のうち最外側輪帯電極層２ｂ５の外縁よりも内側に存在している。高抵抗層５の平面形状をこのような形状とすることで、平面視において輪帯電極層２ｂ５の外側に電界が生じることを抑制でき、当該外側における液晶層３中の液晶分子３ａの配向の変化を抑制できる。すなわち、輪帯電極層２ｂ５の外側における液晶分子３ａの配向変化が、輪帯電極層２ｂ５の内側における液晶分子３ａの配向に悪影響を及ぼすことがない。結果として、輪帯電極層２ｂ５の内側において、液晶層３中の液晶分子３ａを意図した方向に滑らかに配向させることができ、実効的に有効レンズ径が拡大するとともにレンズパワーが増大した液晶レンズ１０とすることができる。
【００３３】
液晶レンズ１０は、平面視において、高抵抗層５の外縁（第１の抵抗層５ａの外縁）が、複数の輪帯電極層２ｂ１、２ｂ２、…のうちの一つの輪帯電極層２ｂｘの帯幅内に存在していることが好ましい。特に、図２において点線で示すように、高抵抗層５の外縁が、最外側輪帯電極層２ｂ５の外縁よりも内側で、且つ、最外側輪帯電極層２ｂ５の内縁よりも外側に存在していること（すなわち、最外側輪帯電極層２ｂ５の帯幅内に存在していること）が好ましい。高抵抗層５の平面形状をこのような形状とすることで、上記した効果が一層顕著に奏される。
【００３４】
１．６．その他の構成
以上の通り、液晶レンズ１０は、従来の液晶レンズと比較して、高抵抗層５の形状に特徴があり、これによって従来の液晶レンズにはない顕著且つ特有の効果を奏するものである。液晶レンズ１０は、高抵抗層５以外の構成については、従来の液晶レンズと同様の構成とすることができる。例えば、第１の透明電極層１や第２の透明電極層２は、それぞれ、透明な基板６、７の表面に形成することができる。また、第１の透明電極層１と第２の透明電極層２とは、複数のリード線を介してそれぞれ電源に電気的に接続されており、図１のＶ１〜Ｖ６で示すように、中心電極層２ａ及び輪帯電極層２ｂ、２ｂ、…のそれぞれについて、第１の透明電極層１に対して、所定の電位に保持可能である。リード線の引き出し位置は特に限定されるものではなく、従来と同様とすればよい。
【００３５】
２．液晶レンズ２０
図５に液晶レンズ２０の層構成を概略的に示す。また、図６に液晶レンズ２０に備えられる第２の透明電極層２と高抵抗層１５とについて、それぞれの平面形状を概略的に示す。
【００３６】
図５、６に示すように、液晶レンズ２０は、平面視において、高抵抗層１５が、第１の抵抗層１５ａと、第１の抵抗層１５ａの周囲に第１の抵抗層１５ａとは離隔して設けられた輪帯状の第２の抵抗層１５ｂとを備えている点に特徴がある。このように高抵抗層１５を第１の抵抗層５ａと第２の抵抗層５ｂとに分けることで、第１の抵抗層５ａに対向する液晶分子３ａの配向と、第２の抵抗層５ｂに対向する液晶分子３ａの配向とを、個別に制御可能と考えられる。これにより、液晶分子３ａの配向をより理想的な形態へと制御できる。
【００３７】
第２の抵抗層１５ｂを備える場合は、平面視において、高抵抗層１５の外縁（第２の抵抗層１５ｂの外縁）が、複数の輪帯電極層２ｂ１、２ｂ２、…のうちの最外側輪帯電極層２ｂ５の外縁よりも内側に存在している。好ましくは、高抵抗層５の外縁が、複数の輪帯電極層２ｂ１、２ｂ２、…のうちの一つの輪帯電極層２ｂｘの帯幅内に存在している。特に、図６に示すように、平面視において、高抵抗層１５の外縁が、複数の輪帯電極層２ｂ１、２ｂ２、…のうちの最外側輪帯電極層２ｂ５の内縁よりも外側（外縁と内縁との間）に存在していること（最外側輪帯電極層２ｂ５の帯幅内に存在していること）が好ましい。
また、第２の抵抗層１５ｂの内縁については、最外側輪帯電極層２ｂ５以外の輪帯電極層２ｂｘの帯幅内に存在していることが好ましい。
一方、平面視において、第１の抵抗層１５ａの外縁が、最外側輪帯電極層２ｂ５以外の一の輪帯電極層２ｂｘの帯幅内に存在していることが好ましい。
このような構成とした場合、平面視において、第１の抵抗層１５ａの外側、且つ、第２の抵抗層１５ｂの内側において電界を遮断できる。すなわち、液晶層３の光学位相差分布の境界部を境にして内側と外側の光学位相差分布を制御することができ、液晶レンズの特性を良好な状態に保ち、実効的に液晶レンズの有効レンズ径を拡大することと、実効的なレンズパワーを増大することがより容易となるものと考えられる。
【００３８】
液晶レンズ２０において、高抵抗層１５以外の構成については、液晶レンズ１０と同様であることから、ここでは説明を省略する。
【００３９】
３．液晶レンズ３０
図７に液晶レンズ３０の層構成を概略的に示す。また、図８に液晶レンズ２０に備えられる第２の透明電極層２２と高抵抗層２５とについて、それぞれの平面形状を概略的に示す。
【００４０】
図７、８に示すように、液晶レンズ３０は、平面視において、高抵抗層２５が、第１の抵抗層２５ａと、第１の抵抗層２５ａの周囲に第１の抵抗層２５ａとは離隔して設けられた輪帯状の第２の抵抗層２５ｂとを備えている。このように高抵抗層１５を第１の抵抗層２５ａと第２の抵抗層２５ｂに分けることで、第１の抵抗層２５ａに対向する液晶分子３ａの配向と、第２の抵抗層２５ｂに対向する液晶分子３ａの配向とを、個別に制御可能と考えられる。これにより、液晶分子３ａの配向をより理想的な形態へと個別制御できる。そのため、液晶レンズの特性を良好な状態に保ち、実効的に液晶レンズの有効レンズ径を拡大することと、実効的なレンズパワーを増大することがより容易となるものと考えられる。
【００４１】
図８に示すように、液晶レンズ３０においても液晶レンズ１０や２０と同様に、平面視において、高抵抗層の外縁（第２の抵抗層２５ｂの外縁）が、複数の輪帯電極層２２ｂ１、２２ｂ２、…のうちの最外側輪帯電極層２２ｂ８の外縁よりも内側に存在していること等が好ましい。輪帯電極層２２ｂ７に加える電圧Ｖ７をゼロ電位若しくは低電位とし、高電圧Ｖ９を加え、電圧Ｖ８で調整することにより、図９（Ａ）に示すような光学位相差分布の境界部が緩やかな場合と比較して、図９（Ｂ）に示すように液晶層３の光学位相差分布の境界部を急峻とすることができ、フレネルレンズ構成とした場合の液晶レンズの特性を良好な状態に保ち、実効的に液晶レンズの有効レンズ径を拡大することと、実効的なレンズパワーを増大することがより容易となるものと考えられる。
【００４２】
液晶レンズ３０において、第２の透明電極層２２及び高抵抗層２５以外の構成については、液晶レンズ１０と同様であることから、ここでは説明を省略する。
【００４３】
４．液晶レンズ４０
図１０に液晶レンズ４０の層構成を概略的に示す。液晶レンズ４０は、第２の透明電極層２を構成する複数の輪帯電極層のうちの一部の輪帯電極層が、電気的に接続されずにオープンとされている。すなわち、複数の輪帯電極層のうちの一部を開回路としている。このような構成とした場合、リード線の数を少なくすることができ、液晶レンズの構成を簡易なものとすることができる。加えて、電気的に接続された第２の透明電極層２からの誘導電位によって、電気的に接続されていない第２の透明電極層２の直下にも緩やかな電界が生じ、第２の透明電極層２の直下にある液晶分子３ａも、所定の方向に配向すると考えられる。すなわち、駆動電源の数を少なくしても光学特性が劣化することなく、所望の液晶レンズを得ることができる。
【００４４】
液晶レンズ４０において、第２の透明電極層２の接続の仕方以外の構成については、液晶レンズ１０と同様であることから、ここでは説明を省略する。
【００４５】
４．その他の形態
本開示の液晶レンズ１０〜４０において、複数の輪帯電極層は、それぞれ、インピーダンスが同程度であるように特徴付けられた帯幅を有するものであってもよい。このような場合、前記開回路となっている輪帯電極層の電位は実効的に隣接する輪帯電極層の電位の平均値に近い値となるため、液晶層において放物面状（断面が放物線状）の光学位相差分布をより容易に得ることが可能と考えられる。
【００４６】
尚、上記説明では、第２の透明電極層が、円形の中心電極層と同心円状の輪帯電極層とからなる形態について説明したが、第２の透明電極層の形態はこれに限定されるものではない。例えば、図１１に示すように、第２の透明電極層１０２が、中心電極層１０２ａと、複数の輪帯電極層１０２ｂ、１０２ｂ、…と、平面視において輪帯電極層１０２ｂの周囲に設けられた最外側透明電極層１０２ｃとを備えていてもよい。このような場合においても、本開示の液晶レンズによる効果が問題なく発揮されるものと考えられる。
【００４７】
また、上記説明では、液晶層３が所定の配向膜３ｂの間に液晶分子３ａが充填されてなるものとして説明したが、液晶層３の構成はこれに限定されるものではない。液晶層は、図１２に示す液晶層１３のように、紙面上側の一の配向膜と紙面下側の他の配向膜との間に液晶分子１３ａが充填されてなり、且つ、一の配向膜及び他の配向膜がともに、配向膜１３ｂと垂直配向膜１３ｃとによって構成されていてもよい。言い換えれば、液晶層１３中の一部の液晶分子１３ａが、垂直配向膜１３ｃによって、他の液晶分子１３ａとは異なる方向に配向されていてもよい。尚、垂直配向膜１３ｃは、平面視において高抵抗層の外縁付近に設けられることが好ましい。このような構成とした場合、液晶分子の配向が不連続となって液晶レンズの光学特性に悪影響を及ぼすディスクリネーションの発生を抑制し、且つ、上述の図９（Ｂ）に示すように、液晶層１３の光学位相差分布の境界部を急峻とすることができ、光学位相差分布の境界部が緩やかな場合と比較して、液晶レンズの特性を良好な状態に保ち、実効的に液晶レンズの有効レンズ径を拡大することと、実効的なレンズパワーを増大することが可能と考えられる。尚、図１２に示す配向膜は、配向膜２３ｂと垂直配向膜２３ｃとを重ね合わせたうえで、一方の膜の一部をエッチング等により除去することによって構成可能である。通常の配向膜２３ｂは、上述の通り、公知のものを使用可能である。垂直配向膜２３ｃは、液晶分子のプレティルト角が安定的に９０°を示す状態のポリイミドをベースとした生成物による配向膜を用いればよい。
【００４８】
また、上記説明では、高抵抗層５、１５、２５が１つ又は２つの抵抗層を備えるものとして説明したが、高抵抗層の形態はこれに限定されるものではない。例えば、平面視において、高抵抗層が、円形状の第１の抵抗層と、第１の抵抗層の周囲に第１の抵抗層とは離隔して設けられた第２の抵抗層と、第２の抵抗層の周囲に第２の抵抗層とは離隔して設けられた第３の抵抗層とを備えていてもよい。第３の抵抗層は複数の抵抗層からなるものであってもよい。高抵抗層を第１の抵抗層と第２の抵抗層と第３の抵抗層とに分けることで、第１の抵抗層に対向する液晶分子の配向と、第２の抵抗層に対向する液晶分子の配向と、第３の抵抗層に対向する液晶分子の配向とを、個別に制御可能と考えられる。これにより、液晶分子の配向をより理想的な形態へと個別制御できる。そのため、液晶レンズの特性を良好な状態に保ち、実効的に液晶レンズの有効レンズ径を拡大することと、実効的なレンズパワーを増大することがより容易となるものと考えられる。
【００４９】
また、上記説明では、液晶層３が一層のみ設けられる形態について説明したが、液晶層３の構成はこれに限定されるものではない。例えば、レンズパワーを増大させるために、液晶層を複数設けてもよい。液晶層を多層化する方法は特に限定されず、公知の方法によればよい。
【００５０】
尚、上記説明では、液晶レンズ１０〜４０を個別に説明したが、本開示の液晶レンズは液晶レンズ１０〜４０の構成の一部同士が組み合わされて一つの液晶レンズが構成されていてもよい。
【００５１】
５．液晶レンズの駆動方法
本開示の液晶レンズは、例えば、以下のようにして駆動させることができる。すなわち、本開示の液晶レンズは、前記複数の輪帯電極層の一つ又は複数に印加する電圧の周波数を制御することを特徴とする、液晶レンズの駆動方法により駆動可能である。このように、高抵抗層の抵抗値を変える必要がなく、加える電圧と周波数とを制御することにより、電界分布を制御することができ、放物面状（断面が放物線状）の光学位相差分布となり、液晶レンズの特性を良好な状態に保ち、実効的に液晶レンズの有効レンズ径を拡大することと、実効的なレンズパワーを増大することが可能と考えられる。
【００５２】
或いは、本開示の液晶レンズは、前記複数の輪帯電極層の１つ又は複数に印加する交流電圧の位相を制御することを特徴とする、液晶レンズの駆動方法によって駆動させることもできる。たとえば印加する交流電圧の位相を１８０°変えることにより、実効的に負の電圧を印加することと同様の効果を得ることができる。したがって、このような形態であっても、電界分布を制御することができ、より理想的な放物面状（断面が放物線状）の光学位相差分布となり、液晶レンズの特性を良好な状態に保ち、実効的に液晶レンズの有効レンズ径を拡大することと、実効的なレンズパワーを増大することが可能と考えられる。
【実施例】
【００５３】
＜比較例１＞
図１３に示すように、高抵抗層を備えない液晶レンズを作製し、光学位相差分布特性を評価した。まず、以下の手順で高抵抗層を備えない液晶レンズを作製した。
【００５４】
１ｍｍ厚の透明ガラス基板６上に、ＩＴＯからなる透明な透明電極層を形成し、これを第１の透明電極層１とした。一方で、１ｍｍ厚の別の透明ガラス基板７上に、ＩＴＯからなる円形状の中心電極層２ａと、同心円状の５つの輪帯電極層２ｂ、２ｂ、…とを形成し、これを第２の透明電極層２とした。中心電極層２ａの半径は１．６ｍｍとし、当該中心電極層２ａに対して０．２ｍｍ離隔させて１つ目の輪帯電極層２ｂ１（帯幅５．４ｍｍ）を形成し、当該１つ目の輪帯電極層２ｂ１に対して０．２ｍｍ離隔させて２つ目の輪帯電極層２ｂ２（帯幅３．０ｍｍ）を形成し、当該２つ目の輪帯電極層２ｂ２に対して０．２ｍｍ離隔させて３つ目の輪帯電極層２ｂ３（帯幅１．８ｍｍ）を形成し、当該３つ目の輪帯電極層２ｂ３に対して０．２ｍｍ離隔させて４つ目の輪帯電極層２ｂ４（帯幅１．０ｍｍ）を形成し、当該４つ目の輪帯電極層２ｂ４に対して０．２ｍｍ離隔させて５つ目の輪帯電極層２ｂ５（帯幅１．５ｍｍ）を形成した。
【００５５】
絶縁層４として５μｍ厚の有機ポリマー膜を使用した。ただし、本実施例にて用いた有機ポリマー膜以外に、１μｍ以下の厚みのアモルファス石英膜を使用しても同様の効果が奏される。尚、図１３の構成では、動作上、特に絶縁層を設ける必要はないが、以下の高抵抗層を有する液晶レンズと比較するために、同様の絶縁層を使用した場合の特性について評価するものとした。
【００５６】
第１の透明電極層１と絶縁層４との双方の表面に、それぞれ、配向膜としてポリイミドを１５０ｎｍの厚みに塗布し、熱処理を行って安定化させた後、一方向にラビング処理した。第１の透明電極層１の表面の配向膜３ｂと絶縁層４の表面の配向膜３ｂとの間に液晶材料としてＲＤＰ８５４７５（ＤＩＣ製）を充填し、第１の透明電極層１と絶縁層４との間に液晶層３（厚み６０μｍ）を設けた。尚、液晶層３中には、厚みを保持するためにスペーサを配置した。
【００５７】
ガラス基板／第１の透明電極層／液晶層／絶縁層／第２の透明電極層／ガラス基板の層構成となるようにそれぞれを積層し、比較例１に係る液晶レンズを得た。
【００５８】
得られた液晶レンズに対して、以下の条件で電極に電圧を印加・保持し、光学位相差分布を評価した。結果を図１４に示す。
（条件）
ｆ＝１ｋＨｚ
Ｖ１＝３．０Ｖ
Ｖ２＝３．２Ｖ
Ｖ３＝３．６Ｖ
Ｖ４＝４．０Ｖ
Ｖ５＝４．８Ｖ
Ｖ６＝６．３Ｖ
【００５９】
図１４に示すように、比較例１に係る液晶レンズは、複数の輪帯電極を備えることで、レンズとしての特性を示した。ただし、光学位相差特性が滑らかではなく、不連続であり、レンズとして適用するには性能が不十分であった。
【００６０】
＜比較例２＞
図１５に示すように、絶縁層と高抵抗層との二重層を備える液晶レンズを作製した。すなわち、比較例１に係る液晶レンズにおいて、絶縁層に替えて、絶縁層と高抵抗層との二重層を設けたこと以外は、比較例１と同様にして第１の透明電極層１、第２の透明電極層２、液晶層３を作製し、比較例２に係る液晶レンズを得た。得られた液晶レンズについて光学位相差分布特性を評価した。
【００６１】
尚、二重層は以下のようにして作製した。すなわち、絶縁層４の表面に、高周波スパッタリング法によって、高抵抗層５として酸化亜鉛薄膜（厚み２５ｎｍ）を形成し、二重層を得た。当該二重層の高抵抗層５側の表面に比較例１と同様の条件で配向膜３ｂを設け、比較例１と同様の条件で液晶層３を挟みこんだ。
【００６２】
得られた液晶レンズに対して、以下の条件で電極に電圧を印加・保持し、光学位相差分布を評価した。結果を図１６に示す。
（条件）
ｆ＝１ｋＨｚ
Ｖ１＝０．２１Ｖ
Ｖ２＝１．７Ｖ
Ｖ３＝２．６Ｖ
Ｖ４＝２．８Ｖ
Ｖ５＝４．０Ｖ
Ｖ６＝５．３Ｖ
【００６３】
図１６に示すように、比較例２に係る液晶レンズは、光学位相差特性が滑らかで連続的であった。しかしながら、平面視で第２の透明電極層２の外縁近傍において、液晶分子を意図した方向に配向させることができず、結果として液晶レンズの有効レンズ径が小さくなってしまった。これは以下のことが原因と考えられる。すなわち、比較例２に係る液晶レンズにおいては、絶縁層４及び高抵抗層５の二重層が液晶層３の表面全体を覆うように構成されており、平面視において高抵抗層５の面積が第２の透明電極層２の面積よりも過大とされている。このような面積の大きな高抵抗層を設けた場合、第１及び第２の透明電極間に電圧を印加すると、平面視において第２の透明電極層２よりも外側においても、高抵抗層５に誘導されて電界が生じ、結果として液晶層３中の液晶分子３ａの傾きが変化してしまう。このような場合、第２の透明電極層２よりも外側における液晶分子３ａの配向が、第２の透明電極層２の内側の液晶分子３ａの配向に悪影響を及ぼし、第２の透明電極層２の外縁近傍において、液晶分子を意図した方向に配向させることができなかったものと考えられる。
【００６４】
＜実施例１＞
図１、２に示すように、絶縁層４と高抵抗層５との二重層を備える液晶レンズにおいて、高抵抗層５の形状を円形状に加工した。また、第２の電極層２’のうち、最外側電極層２ｂ５を輪帯状（帯幅０．８ｍｍ）とし、第２の電極層２とした。このように、第２の電極層や高抵抗層の形状を変更したこと以外は、比較例２と同様にして第１の透明電極層１、第２の透明電極層２、液晶層３、二重層を作製し、実施例１に係る液晶レンズを得た。得られた液晶レンズについて光学位相差分布特性を評価した。
【００６５】
尚、平面視において、高抵抗層５の外縁が、最外側輪帯電極層２ｂ５の外縁よりも内側となるようにした。より具体的には、高抵抗層５の外縁が、最外側輪帯電極層２ｂ５の外縁よりも内側で、且つ、内縁よりも外側に存在するようにした。
【００６６】
得られた液晶レンズに対して、以下の条件で電極に電圧を印加・保持し、光学位相差分布を評価した。結果を図１７に示す。
（条件）
ｆ＝３ｋＨｚ
Ｖ１＝０．２５Ｖ
Ｖ２＝１．４Ｖ
Ｖ３＝１．８Ｖ
Ｖ４＝１．９Ｖ
Ｖ５＝１．８Ｖ
Ｖ６＝５．４Ｖ
【００６７】
図１７に示すように、実施例１に係る液晶レンズにあっては、比較例２に係る液晶レンズにおいてより良好なレンズ特性を示す液晶分子配向に近づくことが示された。平面視において輪帯電極層２ｂの外側に電界が生じることを抑制でき、液晶層３中の液晶分子３ａの配向の変化を抑制できたものと考えられる。すなわち、輪帯電極層２ｂの外側における液晶分子３ａの配向変化が、輪帯電極層２ｂの内側における液晶分子３ａの配向に悪影響を及ぼすことがなく、結果として、輪帯電極層２ｂの内側全域において、液晶層３中の液晶分子３ａを意図した方向に配向させることができ、放物面状（断面が放物線状）の光学位相差分布となり、液晶レンズの特性を良好な状態に保ち、実効的に液晶レンズの有効レンズ径を拡大することができた。
【産業上の利用可能性】
【００６８】
本開示の液晶レンズは、小型レンズから中型・大型レンズまで、あらゆるレンズに利用可能である。特に、遠近両用の眼鏡用のレンズとして好適に利用可能と考えられる。
【符号の説明】
【００６９】
１  第１の透明電極層
２、２２  第２の透明電極層
３  液晶層
４  絶縁層
５、１５、２５  高抵抗層
６  基板
７  基板
１０、２０、３０、４０  液晶レンズ
【図１】
2018036483.tif 000003
【図２】
2018036483.tif 000004
【図３】
2018036483.tif 000005
【図４】
2018036483.tif 000006
【図５】
2018036483.tif 000007
【図６】
2018036483.tif 000008
【図７】
2018036483.tif 000009
【図８】
2018036483.tif 000010
【図９】
2018036483.tif 000011
【図１０】
2018036483.tif 000012
【図１１】
2018036483.tif 000013
【図１２】
2018036483.tif 000014
【図１３】
2018036483.tif 000015
【図１４】
2018036483.tif 000016
【図１５】
2018036483.tif 000017
【図１６】
2018036483.tif 000018
【図１７】
2018036483.tif 000019
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
第１の透明電極層と、第２の透明電極層と、前記第１の透明電極層及び前記第２の透明電極層の間に設けられた液晶層と、前記第２の透明電極層及び前記液晶層の間に設けられた絶縁層と、前記絶縁層及び前記液晶層の間に設けられた高抵抗層とを有し、
平面視において、前記第２の透明電極層が、円形状の中心電極層と、前記中心電極層の周囲に前記中心電極層とは離隔して設けられた複数の輪帯電極層とを備えており、
平面視において、前記複数の輪帯電極層のうちの最外側輪帯電極層の外縁よりも内側及び外側の双方に前記液晶層が存在しており、
平面視において、前記高抵抗層が、円形状の第１の抵抗層を備えており、
平面視において、前記高抵抗層の外縁が、前記複数の輪帯電極層のうちの最外側輪帯電極層の帯幅内に存在している、
液晶レンズ。
【請求項２】
前記平面視において、前記第１の抵抗層の外縁が、前記複数の輪帯電極層のうちのいずれか一つの帯幅内に存在する、
請求項１に記載の液晶レンズ。
【請求項３】
前記平面視において、前記高抵抗層が、前記第１の抵抗層と、前記第１の抵抗層の周囲に前記第１の抵抗層とは離隔して設けられた輪帯状の第２の抵抗層とを備える、
請求項１又は２に記載の液晶レンズ。
【請求項４】
前記平面視において、前記第２の抵抗層の外縁が、前記複数の輪帯電極層のうちのいずれか一つの帯幅内に存在する、
請求項３に記載の液晶レンズ。
【請求項５】
平面視において、前記高抵抗層が、前記第２の抵抗層の周囲に前記第２の抵抗層とは離隔して設けられた第３の抵抗層を備える、
請求項３又は４に記載の液晶レンズ。
【請求項６】
前記複数の輪帯電極層のうちの一部を開回路とする、
請求項１〜５のいずれか１項に記載の液晶レンズ。
【請求項７】
前記複数の輪帯電極層は、それぞれ、インピーダンスが同程度であるように特徴付けられた帯幅を有する、
請求項１〜６のいずれか１項に記載の液晶レンズ。
【請求項８】
前記第２の透明電極層が、前記中心電極層と、前記複数の輪帯電極層と、前記平面視において前記輪帯電極層の周囲に設けられた最外側透明電極層とを備える、
請求項１〜７のいずれか１項に記載の液晶レンズ。
【請求項９】
請求項１〜８のいずれか１項に記載の液晶レンズを駆動する方法であって、
前記複数の輪帯電極層の一つ又は複数に印加する電圧の周波数を制御することを特徴とする、
液晶レンズの駆動方法。
【請求項１０】
請求項１〜８のいずれか１項に記載の液晶レンズを駆動する方法であって、
前記複数の輪帯電極層の一つ又は複数に印加する交流電圧の位相を制御することを特徴とする、
液晶レンズの駆動方法。